(57)【特許請求の範囲】
【請求項１】
車両の骨格部材の上方にバッテリーを取り付けるための取付構造において、
前記バッテリーの底面を水平に支持する平面部と前記平面部から離隔するに連れて上方に向かって傾斜した形状の斜面部とを有するバッテリートレイと、
前記斜面部の下方で前記骨格部材に固定された外筒と弾性部材を介して前記外筒に内嵌されて前記車両のパワープラントを弾性支持する内筒とを有するマウントと、
前記平面部に対して垂直に配置され、前記骨格部材と前記平面部とを接続する第一ブラケットと、
前記斜面部に対して垂直に配置され、前記外筒と前記斜面部とを接続する第二ブラケットと、
を備えることを特徴とする、バッテリー取付構造。
【請求項２】
前記第二ブラケットが、前記内筒の中心軸に対して垂直な姿勢で前記マウントに固定される
ことを特徴とする、請求項１記載のバッテリー取付構造。
【請求項３】
前記第二ブラケットが、前記車両のフェンダーパネルに固定される
ことを特徴とする、請求項１又は２記載のバッテリー取付構造。
【請求項４】
前記バッテリートレイが、前記平面部と前記斜面部との境界をなす溝部を有する
ことを特徴とする、請求項１〜３の何れか１項に記載のバッテリー取付構造。
【請求項５】
前記溝部が、縦断面において上方に向かって拡開した台形形状を有する
ことを特徴とする、請求項４記載のバッテリー取付構造。
【請求項６】
前記第二ブラケット及び前記斜面部を締結固定する締結具と、
前記第二ブラケット及び前記斜面部の何れか一方に穿孔され、前記締結具が挿通される第一穴と、
前記第二ブラケット及び前記斜面部の何れか他方に穿孔され、前記斜面部の傾斜方向に沿った長穴として形成されて前記締結具が挿通される第二穴と、を備える
ことを特徴とする、請求項１〜５の何れか１項に記載のバッテリー取付構造。
【発明の詳細な説明】
【技術分野】
【０００１】
本発明は、車両に搭載されるバッテリーの取付構造に関する。
【背景技術】
【０００２】
近年の自動車は、多数の電装品や電子制御装置類を搭載しており、車載バッテリーの容量及び重量が増加する傾向にある。そこで、車体フレームにバッテリートレイを固定することで、バッテリーの保持性，安定性を向上させることが検討されている。例えば、エンジンルーム内においてサイドフレームメンバ（サイドメンバ）にバッテリー用ブラケットを固定し、このバッテリー用ブラケットの上にバッテリートレイを固定する取付構造が提案されている。このような取付構造により、バッテリー取付状態の安定化が図られる（特許文献１参照）。
【先行技術文献】
【特許文献】
【０００３】
【特許文献１】特開2014-182894号公報
【発明の概要】
【発明が解決しようとする課題】
【０００４】
しかしながら、サイドフレームの周囲には、エンジンマウントやミッションマウント（トランスミッションマウント）といった多数のパワープラント用のマウントが取り付けられるため、適切な位置にバッテリー用ブラケットを固定することができない場合がある。これにより、バッテリー用ブラケットの強度や剛性によっては、バッテリーの取付状態が不安定となりうる。一方、マウントとバッテリー用ブラケットとが干渉しないような位置にバッテリーを配置すれば、このような問題は回避可能である。しかし、エンジンルーム内のスペースは限られているため、バッテリーのレイアウトを変更できない場合がある。
【０００５】
本件の目的の一つは、上記のような課題に鑑み創案されたものであり、省スペース化を図りつつ、バッテリーの取付状態を安定させたバッテリー取付構造を提供することである。なお、この目的に限らず、後述する「発明を実施するための形態」に示す各構成から導き出される作用効果であって、従来の技術では得られない作用効果を奏することも、本件の他の目的として位置付けることができる。
【課題を解決するための手段】
【０００６】
（１）ここで開示するバッテリー取付構造は、車両の骨格部材の上方にバッテリーを取り付けるための取付構造である。本構造には、前記バッテリーの底面を水平に支持する平面部と前記平面部から離隔するに連れて上方に向かって傾斜した形状の斜面部とを有するバッテリートレイが設けられる。
また、前記斜面部の下方で前記骨格部材に固定された外筒と、弾性部材を介して前記外筒に内嵌されて前記車両のパワープラントを弾性支持する内筒と、を有するマウントが設けられる。
さらに、前記平面部に対して垂直に配置され、前記骨格部材と前記平面部とを接続する第一ブラケットと、前記斜面部に対して垂直に配置され、前記外筒と前記斜面部とを接続する第二ブラケットとが設けられる。
【０００７】
（２）前記第二ブラケットが、前記内筒の中心軸に対して垂直な姿勢で前記マウントに固定されることが好ましい。
（３）前記第二ブラケットが、前記車両のフェンダーパネルに固定されることが好ましい。
（４）前記バッテリートレイが、前記平面部と前記斜面部との境界をなす溝部を有することが好ましい。
【０００８】
（５）前記溝部が、縦断面において上方に向かって拡開した台形形状を有することが好ましい。
（６）前記第二ブラケット及び前記斜面部を締結固定する締結具と、前記第二ブラケット及び前記斜面部の何れか一方に穿孔され、前記締結具が挿通される第一穴と、前記第二ブラケット及び前記斜面部の何れか他方に穿孔され、前記斜面部の傾斜方向に沿った長穴として形成されて前記締結具が挿通される第二穴と、を備えることが好ましい。
【発明の効果】
【０００９】
開示のバッテリー取付構造によれば、バッテリーをパワープラントやマウントに近接させて配置することができ、エンジンルーム内における空間利用効率を高めることができる。また、第二ブラケットをバッテリートレイの斜面部に固定することで、マウントからバッテリーに入力されうる振動を抑制することができる。さらに、バッテリートレイに平面部と斜面部とを設けることで、斜面部の振動を平面部に伝達されにくくすることができる。したがって、省スペース化を図りつつ、バッテリーの取付状態を安定させることができる。
【図面の簡単な説明】
【００１０】
【図１】実施形態のバッテリー取付構造が適用された車体を示す斜視図である。
【図２】バッテリー周辺の斜視図である。
【図３】本バッテリー取付構造を示す斜視図である。
【図４】本バッテリー取付構造を示す断面図である。
【図５】（Ａ），（Ｃ）は本バッテリー取付構造を示す模式図、（Ｂ）は比較例としてのバッテリ取付構造を示す模式図である。
【発明を実施するための形態】
【００１１】
図面を参照して、実施形態としてのバッテリー取付構造について説明する。なお、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができるとともに、必要に応じて取捨選択することができ、あるいは適宜組み合わせることが可能である。また、以下の説明では、バッテリーが自動車のエンジンルーム内に取り付けられた状態を基準として、前後方向（車両前後方向），左右方向（車幅方向，車両の乗員を基準とした左右方向），上下方向を説明する。
【００１２】
［１．構成］
［１−１．車体］
本実施形態のバッテリー２は、図１に示す車両１０のエンジンルーム内に取り付けられる。エンジンルーム内には、車両前後方向に延設された骨格部材である、左右一対のサイドフレーム１（フロントサイドフレーム）が配置される。サイドフレーム１は、エンジンルーム内に配置される各種装置を下面側から支える構造部材であり、例えばモノコックボデーのサブフレームとして形成される。また、左右のサイドフレーム１の間は、クロスメンバーや井桁フレームなどで接続される。
【００１３】
それぞれのサイドフレーム１よりも車両上側には、アッパーフレーム１４が配置される。左右一対のアッパーフレーム１４は、例えばフェンダーパネル１５の上部が固定されるモノコックボデーのサブフレームであり、サイドフレーム１よりも車幅方向外側（車両外側）の位置でフロントピラーから車両前方に向かって延設される。これらのサイドフレーム１，アッパーフレーム１４は、閉断面の中空筒状である。
【００１４】
サイドフレーム１とアッパーフレーム１４との間には、フロントサスペンションの上部（ショックアブソーバーの上端部）を支持するためのスプリングハウス１３が設けられる。スプリングハウス１３は、内側にショックアブソーバーとコイルスプリングとを収容する容器形状に形成された部位であり、サイドフレーム１，アッパーフレーム１４の各々に対して接合される。
【００１５】
左右のサイドフレーム１の間には、車両１０のエンジン１１やトランスミッション１２が配置される。これらのパワープラント装置は、サイドフレーム１やクロスメンバーなどに対して、マウント４を介して弾性的に取り付けられる。例えば、サイドフレーム１とクロスメンバーとのそれぞれにマウント４が取り付けられ、各マウント４から図示しない連結部材が延設される。パワープラント装置は、この連結部材に取り付けられる。ここで、トランスミッション１２とサイドフレーム１との間に介装されるマウント４（ミッションマウント）を、図２に例示する。このマウント４は、トランスミッション１２の振動を吸収，減衰するための防振装置である。マウント４の内部には、防振ゴム，液体，防振金属などの弾性部材が封入されている。
【００１６】
バッテリー２は、マウント４よりも車両前方のサイドフレーム１上に配置される。図２に示すように、バッテリー２が載置される樹脂製の受け皿２１は、金属製のバッテリートレイ３の上に取り付けられる。また、バッテリートレイ３は、サイドフレーム１とマウント４との双方に対して車両前後方向に亘って、その前方側と後方側とを固定される。本実施形態のバッテリートレイ３は、第一ブラケット５を介してサイドフレーム１と溶接固定されるとともに、第二ブラケット６を介してマウント４に締結固定される。
【００１７】
［１−２．バッテリートレイ］
バッテリートレイ３には、図３に示すように、平面部３１，斜面部３２，溝部３３が設けられる。平面部３１は、バッテリー２の底面をほぼ水平に支持する平面状の部位である。平面部３１における車幅方向の両端部には、下方に向かって折り曲げられた一対のバッテリーフランジ部３４が設けられる。バッテリーフランジ部３４は、車両前後方向（長手方向）に亘って、平面部３１における左右両端部のそれぞれに形成される。これにより、平面部３１における車幅方向の剛性が高められる。また、平面部３１はサイドフレーム１の上面１６に沿ってほぼ平行に配置される。バッテリー２の受け皿２１は、平面部３１の上に取り付けられる。
【００１８】
一方、斜面部３２は、平面部３１よりも車両後方において、平面部３１に対して傾斜した平面状の部位である。斜面部３２の傾斜方向は、平面部３１から離隔するに連れて、上方に向かうような傾斜方向である。つまり、斜面部３２は、平面部３１の後端側を上方に折り曲げて形成される。平面部３１に対する斜面部３２の傾斜角度は任意であり、例えば45°前後とされる。
【００１９】
溝部３３は、平面部３１と斜面部３２との境界をなす溝状の部位である。本実施形態の溝部３３は、縦断面において上方に向かって拡開した台形形状を有する。ここで、平面部３１と溝部３３とが車幅方向に亘って接合される箇所を第一接合辺と呼び、斜面部３２と溝部３３とが車幅方向に亘って接合される箇所を第二接合辺と呼ぶ。図４に示すように、溝部３３を側面視で台形形状とすることで、第一接合辺と第二接合辺との間隔を伸縮させやすくなり、車両前後方向の荷重に対する振動吸収性が向上する。
【００２０】
また、溝部３３の延在方向は車幅方向に設定され、サイドフレーム１の延在方向に対して溝部３３がほぼ垂直な直線状となるように配置される。上面視において、溝部３３よりも車両前方が平面部３１であり、溝部３３よりも車両後方が斜面部３２である。これにより、車両前後方向の荷重に対し、バッテリートレイ３が溝部３３を境として屈曲変形しやすい構造となる。
【００２１】
つまり、溝部３３は、平面部３１と斜面部３２との間の相対的な回転移動を許容する機能を持つ。したがって、平面部３１が溝部３３を中心として斜面部３２に対して回転移動することができ、又は、斜面部３２が溝部３３を中心として平面部３１に対して回転移動することができる。これらの平面部３１，斜面部３２，溝部３３は、一枚の板材を折り曲げ加工して形成される。
【００２２】
［１−３．第一ブラケット］
図３に示すように、バッテリートレイ３の平面部３１における前端部は、車両前後方向に並置された一対の第一ブラケット５を介してサイドフレーム１に固定される。これらの一対の第一ブラケット５は、サイドフレーム１の延在方向に対して垂直な平面について、鏡像対称形状に形成される。また、各々の第一ブラケット５は、一枚の板材を折り曲げ加工して形成される。各々の第一ブラケット５には、立設部５１，トレイ固定部５２，フレーム上面固定部５３，フレーム側面固定部５４が設けられる。
【００２３】
立設部５１は、平面部３１とサイドフレーム１の上面１６とに対してほぼ垂直に配置された平面状の部位であり、法線が車両前後方向を向いた姿勢で取り付けられる。また、トレイ固定部５２は、立設部５１の上端部をほぼ水平に屈曲して形成された部位であり、法線が上下方向を向いた姿勢で取り付けられる。このトレイ固定部５２は、バッテリートレイ３の平面部３１における裏面（下面側の表面）に面接触した状態で溶接固定される部位である。
【００２４】
フレーム上面固定部５３は、サイドフレーム１の上面１６に面接触した状態で溶接固定される部位であり、法線が上下方向を向いた姿勢で取り付けられる。また、フレーム側面固定部５４は、サイドフレーム１における車両内側の側面１７に面接触した状態で溶接固定される部位であり、法線が左右方向を向いた姿勢で取り付けられる。したがって、フレーム上面固定部５３及びフレーム側面固定部５４は、互いに垂直な姿勢となるように配置される。
【００２５】
立設部５１の車幅方向の位置は、サイドフレーム１における車両内側の側面１７よりもさらに車両内側にはみ出した位置に設定される。これにより、平面部３１の裏面（下面側の表面）から下方に向かって立設部５１を延ばしていくと、サイドフレーム１の上面１６と当接する部位と当接しない部位とが設けられる。フレーム上面固定部５３は、前者を水平方向に屈曲して形成され、フレーム側面固定部５４は、後者を垂直方向に屈曲して形成される。このように、第一ブラケット５をサイドフレーム１の上面１６と側面１７とに固定することで、バッテリートレイ３の剛性や強度，取付安定性などが向上する。
【００２６】
［１−４．第二ブラケット］
図３に示すように、バッテリートレイ３の斜面部３２は、第二ブラケット６を介してマウント４に固定される。第二ブラケット６は、側面視で溝型断面（コ字断面）のレール材を適宜の長さに切断したような形状を有する。第二ブラケット６のうち車幅方向外側の端部は、車両１０のフェンダーパネル１５に接続されて溶接固定される。この第二ブラケット６には、溝型断面の底面部分となるウェブ部６１と、溝型断面の側壁部分となる一対のフランジ部６２とが設けられる。これらのウェブ部６１，フランジ部６２は、一枚の板材を折り曲げ加工して形成される。
【００２７】
ウェブ部６１は、斜面部３２の裏面（下面側の表面）に面接触した状態で締結固定される平面状の部位である。また、フランジ部６２は、ウェブ部６１の前端辺及び後端辺から、ウェブ部６１に対してほぼ垂直をなすように、下方に向かって延設された平面状の部位である。ウェブ部６１の先端（溝型断面の上端）は、マウント４の外筒４２に対して溶接固定される。
【００２８】
マウント４は、斜面部３２の下方でサイドフレーム１に固定された円筒状の外筒４２と、弾性部材４３（防振ゴム，液体，防振金属）を介して外筒４２の内側に内嵌された内筒４１とを有する。内筒４１，外筒４２の軸心はほぼ一致するように形成され、その軸心が車幅方向に延在するように配置される。図３に示すマウント４は、外筒４２が円筒の頂面及び底面を覆った形状となっている。
【００２９】
円筒状の外筒４２のうち頂面及び底面に相当する面（図２中において、車幅方向の左右両端に位置する円盤状面）には、内筒４１より直径が大きい穴が穿孔されており、内筒４１はその穴の中に挿通されている。また、外筒４２は、マウント固定ブラケット４４を介してサイドフレーム１の上面１６に締結固定される。マウント固定ブラケット４４は、円筒状の外筒４２の位置を固定する車止め形状に形成された固定具である。
【００３０】
第二ブラケット６は、斜面部３２に対してボルト７及びナット８で締結固定される。すなわち、第二ブラケット６のウェブ部６１には、ボルト７が挿通されるブラケット穴６３（第一穴）が穿孔される。同様に、斜面部３２にも、ボルト７が挿通される斜面穴３４（第二穴）が穿孔される。斜面部３２及びウェブ部６１は、図４に示すように、ボルト７の頭部とナット８との間に挟み込まれた状態で締結固定される。
【００３１】
斜面穴３４は、斜面部３２の傾斜方向に沿った長穴として形成される。また、図３，図４に示すように、斜面穴３４の内部におけるボルト７の位置は、第二ブラケット６の取り付けが完了した時点で、斜面穴３４の上端部に設定される。これにより、サイドフレーム１から車両前後方向の荷重が作用したとしても、斜面部３２をその傾斜方向（車両前後方向）に沿ってスライド移動させることが許容される。
【００３２】
ブラケット穴６３は、二枚のフランジ部６２からほぼ等距離となる位置（ウェブ部６１の中央位置）に設けられる。また、図４に示すように、第二ブラケット６は、マウント４の内筒４１の中心軸（外筒４２の中心軸）に対して垂直な姿勢で、マウント４に固定される。すなわち、ボルト７の中心軸を延長した線が内筒４１の中心軸を通るように、第二ブラケット６が取り付けられる。これにより、マウント４から第二ブラケット６へと振動が伝達されるときに、二つのフランジ部６２に対してほぼ均等に振動が入力されるようになり、第二ブラケット６の固定状態が安定化する。
【００３３】
［２．作用］
［２−１．振動に対する作用］
図５（Ａ）は、上記のバッテリー取付構造を示す模式図であり、図５（Ｂ）はその比較例（第二ブラケット６がマウント４に対して鉛直に固定されたもの）である。後者の構造では、マウント４の上下振動によって、ボルト７の締結部分に剥離方向への力が作用する。この力は、ウェブ部６１及び斜面部３２の板厚方向に作用することから、これらの母材寿命を短縮させうる。
【００３４】
一方、上記のバッテリー取付構造では、ボルト７がマウント４に対して斜めに配置されることから、マウント４の上下振動によって生じる力の一部が、ボルト７に対する剪断力として作用する。これにより、ウェブ部６１及び斜面部３２の板厚方向に作用する力の成分が減少し、これらの母材寿命が延長される。また、ボルト７の締結部分における変形や破断が生じにくくなることから、バッテリー２の取付状態がより安定化する。
【００３５】
また、後者の構造と比較して、上記のバッテリー取付構造では、平面部３１からボルト７の締結部分までの鉛直方向寸法H1及び水平方向寸法L1が短縮される。つまり、後者の
構造における鉛直方向寸法H2及び水平方向寸法L2に対して、第一ブラケット５と第二ブラケット６との間のスパンが縦横方向の何れも短縮される（H1＜H2，L1＜L2）。そのため、バッテリートレイ３の剛性が比較的大きくなり、バッテリー２の振動が抑制される。また、第一ブラケット５及び第二ブラケット６を取り付けるためのスペースが小さくなることから、レイアウト性も向上する。
【００３６】
［２−２．変形に対する作用］
図５（Ｃ）は、サイドフレーム１に車両前後方向の荷重が作用した場合の変形状態を示す図である。上記のバッテリー取付構造では、バッテリートレイ３の平面部３１と斜面部３２との間に、溝部３３が形成される。この溝部３３は、第一ブラケット５に固定された平面部３１と第二ブラケット６に固定された斜面部３２とが相対的に回転移動することを許容するように作用する。例えば、車両前方から荷重が作用した場合には、溝部３３を中心（支点）として平面部３１が斜面部３２に対して回転し、バッテリー２がマウント４よりも上方へと移動する。このように、バッテリートレイ３の変形モードをコントロールすることで、バッテリー２とマウント４との衝突，干渉などが回避され、バッテリー２の破損，液漏れが抑制される。
【００３７】
また、斜面部３２と第二ブラケット６との接合箇所において、斜面穴３４は、斜面部３２の傾斜方向に沿った長穴として形成されている。これにより、斜面部３２がボルト７に対して斜め上方に向かってスライドし、バッテリートレイ３の全体が車両後方及び上方に向かって移動する。このようなバッテリートレイ３の移動により、車両前後方向の変形代が確保され、例えば第一ブラケット５とバッテリートレイ３との固定状態が維持されやすくなる。したがって、バッテリー２の取付状態がより安定化する。
【００３８】
［３．効果］
（１）上記のバッテリー取付構造では、バッテリートレイ３が第一ブラケット５でサイドフレーム１に固定されるとともに、第二ブラケット６でマウント４に固定される。これにより、バッテリー２をトランスミッション１２やマウント４に近接させて配置することができ、エンジンルーム内における空間利用効率を高めることができる。
【００３９】
また、第二ブラケット６をバッテリートレイ３の斜面部３２に固定することで、マウント４からバッテリー２側へと入力されうる振動を抑制することができる。さらに、バッテリートレイ３に平面部３１と斜面部３２とを設けることで、斜面部３２の振動を平面部３１に伝達されにくくすることができる。したがって、省スペース化を図りつつ、バッテリー２の取付状態を安定させることができる。
【００４０】
（２）上記のバッテリー取付構造では、第二ブラケット６がマウント４に対して垂直な姿勢で固定される。すなわち、図４に示すように、ボルト７の中心軸を延長した線が内筒４１の中心軸（外筒４２の中心軸）を通るように、第二ブラケット６が取り付けられる。これにより、二つのフランジ部６２に対してほぼ均等に振動を入力させることができ、マウント４の振動に対する第二ブラケット６の固定状態を安定的に維持させることができる。したがって、バッテリー２の取付状態を安定させることができる。
【００４１】
（３）上記のバッテリー取付構造では、第二ブラケット６における車幅方向外側の端部がフェンダーパネル１５に接続されて溶接固定される。これにより、車幅方向の振動に対してバッテリー２の取付状態をさらに安定させることができる。特に、内筒４１及び外筒４２の軸心が車幅方向に延在するように配置されたマウント４においては、簡素な構成でバッテリー２の取付状態の安定化を図ることができる。
【００４２】
（４）上記のバッテリー取付構造では、バッテリートレイ３の平面部３１と斜面部３２との間に溝部３３が設けられる。このような溝部３３を設けることで、バッテリートレイ３が溝部３３を境として屈曲変形しやすくなり、例えば斜面部３２から平面部３１側へと伝達される振動を吸収することができる。
【００４３】
また、溝部３３を設けることで、第一ブラケット５に固定された平面部３１と第二ブラケット６に固定された斜面部３２との相対回転が許容される。したがって、図５（Ｃ）に示すように、車両前後方向の荷重が作用した場合に、溝部３３を中心として、平面部３１を斜面部３２に対して回転移動させることができる。これにより、バッテリー２とマウント４との衝突，干渉を回避することができ、バッテリー２の破損，液漏れを抑制することができる。
【００４４】
（５）上記のバッテリー取付構造では、図４に示すように、溝部３３の縦断面形状が上方に向かって拡開した台形形状に形成される。これにより、車両前後方向の荷重に対する溝部３３の振動吸収性を向上させることができ、バッテリー２の取付状態の安定化を図ることができる。また、縦断面における屈曲点が四点設定されることから、平面部３１と斜面部３２とを相対的に回転しやすくすることができるというメリットもある。
【００４５】
（６）上記のバッテリー取付構造では、図３，図４に示すように、斜面穴３４が斜面部３２の傾斜方向に沿った長穴として形成される。これにより、車両前後方向の荷重に対して、斜面部３２をその傾斜方向（車両前後方向）に沿ってスライド移動させることができる。これにより、バッテリートレイ３で車両前後方向の荷重による変位を吸収することができ、バッテリー２の取付状態の安定化を図ることができる。
【００４６】
［４．変形例］
上述の実施形態では、図２に示すように、バッテリー２の後方に配置されたマウント４を利用してバッテリートレイ３を固定する取付構造を例示したが、これらの配設位置はこれに限定されない。例えば、バッテリー２の前方に配置されたマウント４を利用して、バッテリートレイ３を固定してもよい。少なくとも、バッテリートレイ３の斜面部３２の下方でサイドフレーム１に固定されたマウント４があれば、上述の実施形態と同様の取付構造を実現することが可能である。
【００４７】
斜面部３２と第二ブラケット６との締結構造に関して、上述の実施形態では、斜面穴３４を長穴として形成したものを示したが、これの代わりに、ウェブ部６１のブラケット穴６３を長穴として形成してもよい。この場合、ブラケット穴６３の内部におけるボルト７の位置は、第二ブラケット６の取り付けが完了した時点で、ブラケット穴６３の下端部に設定することが好ましい。これにより、上述の実施形態と同様に、斜面部３２をその傾斜方向（車両前後方向）に沿ってスライド移動させることができる。
【符号の説明】
【００４８】
１  サイドフレーム（骨格部材）
２  バッテリー
３  バッテリートレイ
４  マウント
５  第一ブラケット
６  第二ブラケット
３１  平面部
３２  斜面部
３３  溝部
３４  斜面穴（第二穴）
４１  内筒
４２  外筒
４３  弾性部材
６１  ウェブ部
６２  フランジ部
６３  ブラケット穴（第一穴）
【図１】
0006477062.tif 000002
【図２】
0006477062.tif 000003
【図３】
0006477062.tif 000004
【図４】
0006477062.tif 000005
【図５】
0006477062.tif 000006